(57)【要約】【課題】  収納庫本体の内部に天板と脚体を格納した格納態様と、天板と脚体を展開して天板の一端部を収納庫本体で支持するとともに、他端部を脚体で支持したテーブル態様とを実現可能な折畳み式テーブル付き収納庫を提供する。【解決手段】  収納庫本体１に前面開放した格納空間を設け、天板２は第１天板８と第２天板９とが略中央部で蝶着して水平状態から上方へ屈曲して折り畳み可能であり、第１天板の基部を格納空間の両側面に水平な支軸で上下回動可能に取付け、第２天板の遊端部裏面に脚体３の上端を枢着するとともに、脚体の上下中間部と第１天板の蝶着部１１寄り裏面とを連動杆４のそれぞれ端部に枢着する。収納庫本体に、水平状態の天板より上側の格納空間を開閉する回動扉５を設け、回動扉の下方に、上下一端部に天板を受け入れる切欠部２８を設けた閉塞板６を上下反転して着脱自在に設けた。【選択図】        図１
2010099356.tif 000002
【特許請求の範囲】
【請求項１】
収納庫本体の内部に天板と脚体を格納した格納態様と、天板と脚体を展開して水平な天板の一端部を収納庫本体で支持するとともに、他端部を脚体で支持したテーブル態様とを実現可能な折畳み式テーブル付き収納庫において、前記収納庫本体に前面開放した格納空間を設け、前記天板は第１天板と第２天板とが略中央部で蝶着して水平状態から上方へ屈曲して折り畳み可能であり、第１天板の基部を前記格納空間の両側面に水平な支軸で上下回動可能に取付け、第２天板の遊端部裏面に脚体の上端を枢着するとともに、該脚体の上下中間部と前記第１天板の蝶着部寄り裏面とを連動杆のそれぞれ端部に枢着し、前記第１天板を支軸を中心に上方へ回動させると、第２天板の裏面が第１天板の裏面に接近して略平行に折り畳まれるとともに、前記脚体が前記第２天板と略直線状に垂下して前記格納空間に格納されることを特徴とする折畳み式テーブル付き収納庫。
【請求項２】
前記収納庫本体に、水平状態の天板より上側の格納空間を開閉する回動扉を設けるとともに、該回動扉の下方の収納庫本体に、上下一端部に前記天板を受け入れる切欠部を設けた閉塞板を上下反転して着脱自在に設け、テーブル態様では前記回動扉を閉じるとともに、上側に向けた切欠部に前記天板を受け入れた状態で前記閉塞板を収納庫本体に取付け、格納態様では前記回動扉を閉じるとともに、切欠部を下側に向けた状態の前記閉塞板を前記回動扉に連続するように収納庫本体に取付けてなる請求項１記載の折畳み式テーブル付き収納庫。
【請求項３】
前記格納空間内の両側において、前記支軸より上方の両側面に上下に延びたガイド部材を取付け、該ガイド部材に沿って摺動するスライド部材と前記第１天板の支軸よりも蝶着部側の側端部とにステーの両端部をそれぞれ枢着し、天板の展開時に制動力が作用するようにした請求項１又は２記載の折畳み式テーブル付き収納庫。
【請求項４】
前記収納庫本体の内部に、前記格納空間の背面を構成する仕切板を上下方向に固定し、該仕切板の下端部に出没可能なダンパーを設け、前記第１天板が水平状態になるときに、支軸よりも基端側の上面がダンパーに当接して制動力が作用するようにするとともに、前記仕切板の下端で前記第１天板の基端上面を当止してなる請求項１〜３何れかに記載の折畳み式テーブル付き収納庫。
【請求項５】
前記脚体の下端にキャスターを設けてなる請求項１〜４何れかに記載の折畳み式テーブル付き収納庫。
【発明の詳細な説明】
【技術分野】
【０００１】
本発明は、折畳み式テーブル付き収納庫に係わり、更に詳しくは内部に天板と脚体を格納し、引き出してテーブルとして使用できる折畳み式テーブル付き収納庫に関するものである。
【背景技術】
【０００２】
従来から、収納庫に折畳み式テーブルを組み込んだ家具は各種提供されている。例えば、収納庫の開閉扉がテーブルの天板を兼ね、天板を格納する際に天板と脚体を折り畳む構造のもの（特許文献１）、開閉扉が天板と脚体を兼ねる構造のもの（特許文献２）、収納庫に開閉扉とは別に回動天板を設け、収納庫の内部に天板と脚体を折畳んで格納した状態で開閉扉を閉じて隠蔽する構造のもの（特許文献３）などがある。
【０００３】
特許文献１には、前面の上下中間部を開放し、この開口部の下部にテーブル天板の一端部を枢支するとともに、天板の他端部外面に脚体を折り畳み可能に設け、天板を略垂直にして開口部を閉じた状態で、該天板の外面に沿うように脚体を折り畳んだ格納態様と、天板を水平に回動引き出すとともに、脚体を展開して床面に支持するテーブル態様とを実現する折畳み式テーブル付き収納庫が開示されている。しかし、この構造の収納庫は、格納態様で天板の外側に脚体が露出し、見苦しさは否定できない。
【０００４】
特許文献２には、前面開口した本体の中段位置に移動板を前後スライド移動可能に設けるとともに、該移動板の前縁に本体上段前面を閉止し得る開閉扉を枢着し、更に本体下段には前記開閉扉を水平状態において支持する横開き回動扉を設けた折畳み式テーブル付き収納庫が開示されている。この特許文献２に記載の収納庫は、前記開閉扉と回動扉を閉じて収納庫の前面開口部を閉じた格納態様と、開閉扉を移動板に対して水平になるように回動引き出し且つ移動板を奥部に押し込んで該開閉扉の一端部を収納庫内で支持するとともに、前記回動扉を半開き状態に開いてその上面で天板となる前記開閉扉の下面を支持するテーブル態様とを実現するものである。しかし、これら特許文献１、２に記載のものは、テーブル態様のときに収納庫の前面が開放されたままの状態となり、内部の棚を利用する場合には良いが、それ以外の場合は見苦しい。
【０００５】
特許文献３には、所定高さを有し、且つ前面側に開口部を有する収納庫本体の中央部に開閉自在に中央扉を設け、中央扉の下方へ延出する係合片を固定し、該係合片と当接して前傾自在となる補助扉を下部扉の上端に設け、テーブル天板の一端部を収納庫の内部に枢支するとともに、天板の他端部に折り畳み可能に脚体を設け、天板と脚体を収納庫内に垂直に配置し、中央扉を閉じた格納態様と、前記補助扉を前側へ倒して形成された空間を利用して前記天板を水平に配置するとともに、脚体を開いて接地して支持するテーブル態様とを、実現する折畳み式テーブル付き収納庫が開示されている。ここで、テーブル態様の場合に、前記中央扉を閉じることが可能であり、収納庫本体の開口部内の棚を隠蔽することができる。尚、前記天板を構成する基体は、開口部より幅狭にて形成し、該基体両側方に拡幅部を折り畳み可能に設けている。
【０００６】
しかし、特許文献３に記載のものは、天板の一端部と収納庫の固定棚との間にダンパーを設けて、天板の回動に対して緩衝作用を持たせているが、このダンパーは天板が垂直に近い状態で最も機能を発揮し、天板が水平に近くなると殆どその機能せず、また脚体を接地させる操作は手動で行わなければならないので、脚体の開脚操作が遅れると、天板の枢着部よりも奥の端部が棚部分に強く衝突して破損する恐れがある。
【特許文献１】実開昭６１−１４９５５５号公報
【特許文献２】実公平８−８６６５号公報
【特許文献３】実開平４−４０３１号公報
【発明の開示】
【発明が解決しようとする課題】
【０００７】
そこで、本発明が前述の状況に鑑み、解決しようとするところは、収納庫本体の内部に天板と脚体を格納した格納態様と、天板と脚体を展開して天板の一端部を収納庫本体で支持するとともに、他端部を脚体で支持したテーブル態様とを実現可能な折畳み式テーブル付き収納庫において、天板と脚体が連動して格納態様とテーブル態様間の変更を行うことができるとともに、不意な回動動作がなく安定に操作することができ、更に各態様を安定に維持することが可能な折畳み式テーブル付き収納庫を提供する点にある。
【課題を解決するための手段】
【０００８】
本発明は、前述の課題解決のために、収納庫本体の内部に天板と脚体を格納した格納態様と、天板と脚体を展開して水平な天板の一端部を収納庫本体で支持するとともに、他端部を脚体で支持したテーブル態様とを実現可能な折畳み式テーブル付き収納庫において、前記収納庫本体に前面開放した格納空間を設け、前記天板は第１天板と第２天板とが略中央部で蝶着して水平状態から上方へ屈曲して折り畳み可能であり、第１天板の基部を前記格納空間の両側面に水平な支軸で上下回動可能に取付け、第２天板の遊端部裏面に脚体の上端を枢着するとともに、該脚体の上下中間部と前記第１天板の蝶着部寄り裏面とを連動杆のそれぞれ端部に枢着し、前記第１天板を支軸を中心に上方へ回動させると、第２天板の裏面が第１天板の裏面に接近して略平行に折り畳まれるとともに、前記脚体が前記第２天板と略直線状に垂下して前記格納空間に格納されることを特徴とする折畳み式テーブル付き収納庫を構成した（請求項１）。
【０００９】
そして、前記収納庫本体に、水平状態の天板より上側の格納空間を開閉する回動扉を設けるとともに、該回動扉の下方の収納庫本体に、上下一端部に前記天板を受け入れる切欠部を設けた閉塞板を上下反転して着脱自在に設け、テーブル態様では前記回動扉を閉じるとともに、上側に向けた切欠部に前記天板を受け入れた状態で前記閉塞板を収納庫本体に取付け、格納態様では前記回動扉を閉じるとともに、切欠部を下側に向けた状態の前記閉塞板を前記回動扉に連続するように収納庫本体に取付けてなることが好ましい（請求項２）。
【００１０】
また、前記格納空間内の両側において、前記支軸より上方の両側面に上下に延びたガイド部材を取付け、該ガイド部材に沿って摺動するスライド部材と前記第１天板の支軸よりも蝶着部側の側端部とにステーの両端部をそれぞれ枢着し、天板の展開時に制動力が作用するようにすることがより好ましい（請求項３）。
【００１１】
また、前記収納庫本体の内部に、前記格納空間の背面を構成する仕切板を上下方向に固定し、該仕切板の下端部に出没可能なダンパーを設け、前記第１天板が水平状態になるときに、支軸よりも基端側の上面がダンパーに当接して制動力が作用するようにするとともに、前記仕切板の下端で前記第１天板の基端上面を当止してなることも好ましい（請求項４）。
【００１２】
更に、前記脚体の下端にキャスターを設けてなることがより好ましい（請求項５）。
【発明の効果】
【００１３】
以上にしてなる請求項１に係る発明の折畳み式テーブル付き収納庫は、収納庫本体の内部に天板と脚体を格納した格納態様と、天板と脚体を展開して水平な天板の一端部を収納庫本体で支持するとともに、他端部を脚体で支持したテーブル態様とを実現することができる。そして、前記天板は第１天板と第２天板とが略中央部で蝶着して水平状態から上方へ屈曲して折り畳み可能であり、第１天板の基部を前記格納空間の両側面に水平な支軸で上下回動可能に取付け、第２天板の遊端部裏面に脚体の上端を枢着するとともに、該脚体の上下中間部と前記第１天板の蝶着部寄り裏面とを連動杆のそれぞれ端部に枢着したので、テーブル態様では、第１天板と第２天板が蝶着部で水平状態を維持し、第１天板の基端部が支軸を介して収納庫本体で支持し、第２天板の遊端部が前記連動杆で角度維持された脚体で支持されるので安定である。また、格納態様では、前記第１天板を支軸を中心に上方へ回動させると、第２天板の裏面が第１天板の裏面に接近して略平行に折り畳まれるとともに、前記脚体が前記第２天板と略直線状に垂下して前記格納空間に格納されるので、コンパクトに折り畳まれて格納空間に格納できる。そして、格納態様とテーブル態様間の変更も、天板を持って回動操作するだけで、それに連動して脚体も回動して所定の姿勢になるので操作が簡単である。
【００１４】
請求項２によれば、前記収納庫本体に、水平状態の天板より上側の格納空間を開閉する回動扉を設けるとともに、該回動扉の下方の収納庫本体に、上下一端部に前記天板を受け入れる切欠部を設けた閉塞板を上下反転して着脱自在に設けたので、テーブル態様では前記回動扉を閉じるとともに、上側に向けた切欠部に前記天板を受け入れた状態で前記閉塞板を収納庫本体に取付けて格納空間を閉鎖することができ、格納態様では前記回動扉を閉じるとともに、切欠部を下側に向けた状態の前記閉塞板を前記回動扉に連続するように収納庫本体に取付けて格納空間を閉鎖することができ、態様間の変更時を除き何れの態様時にも格納空間は回動扉と閉塞板とで閉じているので、外観性の向上が図れるのである。
【００１５】
請求項３によれば、前記格納空間内の両側において、前記支軸より上方の両側面に上下に延びたガイド部材を取付け、該ガイド部材に沿って摺動するスライド部材と前記第１天板の支軸よりも蝶着部側の側端部とにステーの両端部をそれぞれ枢着したので、天板を格納態様からテーブル態様へ支軸を中心に回動させるときに、前記スライド部材がガイド部材に沿って摺動して制動力が作用し、天板を展開するときに不意に天板の回動が速くなることがなく、動作が安定である。
【００１６】
請求項４によれば、前記収納庫本体の内部に、前記格納空間の背面を構成する仕切板を上下方向に固定し、該仕切板の下端部に出没可能なダンパーを設け、前記第１天板が水平状態になるときに、支軸よりも基端側の上面がダンパーに当接して制動力が作用するようにするとともに、前記仕切板の下端で前記第１天板の基端上面を当止することにより、天板の展開時に天板の回転モーメントが最大になる直前にダンパーが第１天板の基端側の上面に当接して回転モーメントを一部相殺するので、天板の回転が減速されて、第１天板の基端上面が仕切板の下端に衝突するのを緩和することができ、そしてテーブル態様においては、第１天板の基端上面が仕切板の下端で当止されるので、天板を水平姿勢で安定に維持することができる。
【００１７】
請求項５によれば、前記脚体の下端にキャスターを設け、格納態様とテーブル態様の態様間の変更時に、キャスターが床面を転動するようにすれば、動作が非常に安定である。
【発明を実施するための最良の形態】
【００１８】
次に、添付図面に示した実施形態に基づき、本発明を更に詳細に説明する。図１は、本発明に係る折畳み式テーブル付き収納庫のテーブル態様を示し、図２及び図３はその断面図であり、図４は本発明に係る折畳み式テーブル付き収納庫の格納態様を示し、図５はその断面図、図６はその正面図をそれぞれ示し、図中符号１は収納庫本体、２は天板、３は脚体、４は連動杆、５は回動扉、６は閉塞板をそれぞれ示している。
【００１９】
本発明に係る折畳み式テーブル付き収納庫は、収納庫本体１の内部に天板２と脚体３を格納した格納態様と、天板２と脚体３を展開して水平な天板２の一端部を収納庫本体１で支持するとともに、他端部を脚体３で支持したテーブル態様とを実現可能な折畳み式テーブル付き収納庫において、前記収納庫本体１に前面開放した格納空間７を設け、前記天板２は第１天板８と第２天板９とが略中央部で蝶着して水平状態から上方へ屈曲して折り畳み可能であり、第１天板８の基部を前記格納空間の両側面に水平な支軸１０で上下回動可能に取付け、第２天板９の遊端部裏面に脚体３の上端を枢着するとともに、該脚体３の上下中間部と前記第１天板８の蝶着部１１寄り裏面とを連動杆４のそれぞれ端部に枢着し、前記第１天板８を支軸１０を中心に上方へ回動させると、第２天板９の裏面が第１天板８の裏面に接近して略平行に折り畳まれるとともに、前記脚体３が前記第２天板９と略直線状に垂下して前記格納空間７に格納されるものである。
【００２０】
前記天板２は、図１〜図３に示すように、第１天板８と第２天板９とを蝶着部１１で上方のみに屈曲するようになっている。前記第１天板８は、裏面の両側部に補強杆１２，１２を平行に固定し、前記第２天板９は、裏面の両側部に補強杆１３，１３を平行に固定し、水平状態で第１天板８と第２天板９の端面が接合するとともに、それぞれの補強杆１２，１３の端面同士も接合し、該補強杆１２，１３の下面を蝶番で連結して前記蝶着部１１としている。従って、前記天板２は、第１天板８と第２天板９とがへ字状に屈曲し、上方へのみ屈曲するようになっている。
【００２１】
前記脚体３は、図１及び図３に示すように、両側の支脚１４，１４の上下中間部を連結杆１５で連結したＨ字形を有し、両支脚１４，１４の上端部を前記第２天板９の両補強杆１３，１３の内側に枢軸１６で回動可能に連結している。そして、前記支脚１４の下端にはキャスター１７を設けている。
【００２２】
前記連動杆４は、前記脚体３の連結杆１５の中央部と前記第１天板８の前記蝶着部１１寄り裏面とにそれぞれの端部を枢着している。本実施形態では、中央部に１本の連動杆４を設けたが、２本の連動杆を両側の支脚１４，１４のそれぞれに枢着してもよい。
【００２３】
前記収納庫本体１は、図１〜図３に示すように、両側板１８，１８間の前側寄りに仕切板１９を固定し、該仕切板１９の前面側を前記格納空間７とし、該仕切板１９の反対側は椅子等の収納空間２０としている。前記仕切板１９の下端は開放し、前記天板２が水平状態のときに第１天板８の基端部の上面を当止できる高さに設定され、該仕切板１９の下端部には前記収納空間２０の底面板２１が固定されている。
【００２４】
前記第１天板８の支軸１０は、前記両補強杆１２，１２を貫通し、前記収納庫本体１の両側板１８，１８の内面に固定した軸受部材２２，２２に両端部を回動可能に嵌合している。
【００２５】
そして、前記格納空間７内の両側において、前記支軸１０より上方の両側面に上下に延びたガイド部材２３を取付け、該ガイド部材２３に沿って摺動するスライド部材２４と前記第１天板８の支軸１０よりも蝶着部１１側の側端部とにステー２５の両端部をそれぞれ枢着し、天板２の展開時に制動力が作用するようにしている。ここで、前記ガイド部材２３に対するスライド部材２４の摺動抵抗は調節できるようになっている。
【００２６】
更に、前記収納庫本体１の内部に、前記格納空間７の背面を構成する仕切板１９を上下方向に固定し、該仕切板１９の下端部２６に出没可能なダンパー２７を設け、前記第１天板８が水平状態になるときに、支軸１０よりも基端側の上面がダンパー２７に当接して制動力が作用するようにするとともに、前記仕切板１９の下端で前記第１天板８の基端上面を当止するのである。
【００２７】
また、図１及び図４に示すように、前記収納庫本体１に、水平状態の天板２より上側の格納空間７を開閉する回動扉５を設けるとともに、該回動扉５の下方の収納庫本体１に、上下一端部に前記天板を受け入れる切欠部２８を設けた閉塞板６を上下反転して着脱自在に設け、図１のテーブル態様では前記回動扉５を閉じるとともに、上側に向けた切欠部２８に前記天板２を受け入れた状態で前記閉塞板６を収納庫本体１に取付け、図４の格納態様では前記回動扉５を閉じるとともに、切欠部２８を下側に向けた状態の前記閉塞板６を前記回動扉５に連続するように収納庫本体１に取付ける。このようにすることにより、前記格納空間７を回動扉５と閉塞板６とで隠蔽することができ、またテーブル態様においては天板２に対する逃がし空間を切欠部２８により形成することができる。
【００２８】
本実施形態では、前記回動扉５は両開き式になっている。また、収納庫本体１の反対側にも前記収納空間２０を開閉する回動扉２９を設けている。そして、前記閉塞板６を収納庫本体１の両側板１８，１８に上下反転して着脱可能に取付ける構造として、両側板１８，１８と閉塞板６の裏面に、上下対称位置にマグネットキャッチ３０，…を設けるとともに、位置決めのために前記両側板１８，１８の上部にそれぞれダボ３１を前方へ突設し、前記閉塞板６の裏面の両側上下には前記ダボ３１，３１を係合する係合孔を形成している。
【００２９】
図７は、格納態様とテーブル態様の態様間を変更するときの中間状態を示している。前記第１天板８を支軸１０を中心に回動させると、第１天板８と第２天板９は蝶着部１１で屈曲してその角度が変化し、それに応じて連動杆４でリンク連結した前記脚体３は前記第２天板９に対して角度が変化する。図１〜図３のテーブル態様から図４〜図６の格納態様へ変更する場合には、前記第２天板９の両側部で蝶着部１１寄り位置を持って持ち上げると、第１天板８は支軸１０を中心に回動しながら、第１天板８に第２天板９が接近し、その間に脚体３は連動杆４で第２天板９に対する角度が開くように回動し、キャスター１７は床面を転動する。そして、最後に第２天板９を格納空間７内に押し込むと、第２天板９が第１天板８に接合した後、脚体３が持ち上がり、完全に格納空間７に格納される。この状態を維持するために、前記第２天板９の遊端部の下面両側部に設けた閂部材３２を側方へ突出させて前記側板１８の内面に固定した受け部材３３に係合する。そして、前記回動扉５を閉じ、切欠部２８を下方へ向けて閉塞板６を収納庫本体１に取付けると、図４〜図７に示した格納態様になる。
【００３０】
また、格納態様からテーブル態様に変更する場合には、先ず前記回動扉５を開放し、前記閉塞板６を取り外し、前記閂部材３２，３２を引っ込めて受け部材３３，３３との係合を解除し、前記第２天板９の両側部を持って手前に引き出すと、前記支軸１０を中心として第１天板８が回動しながら、第１天板８に対して第２天板９が蝶着部１１を中心に開き、前記脚体３のキャスター１７，１７が床面に接触する。それから、前記キャスター１７，１７を床面に転動させながら、第２天板９を手前に引き出し、そのとき前記スライド部材２４はガイド部材２３を下方へと摺動移動するので、前記天板２が展開する際に制動力が働き、しかも水平に近づくと急激に制動力が大きくなり、更に前記仕切板１９の下端に設けたダンパー２７に第１天板８の基端部上面が当接して衝撃を緩和し、前記天板２が水平な状態となる。ここで、前記キャスター１７，１７が床面を転動するので、常に摩擦力が働き、天板２の急激な展開が制限され、操作が安定する。
【００３１】
本実施形態の収納庫本体１の下端には、図８に示すように、昇降ユニット３４が組み込まれており、該収納庫を移動する際には、昇降ユニット３４を操作してそのキャスターが接地するようにし、また収納庫を静置する際には、昇降ユニット３４を操作して接地部材を床面に圧接するのである。
【００３２】
また、本実施形態の収納庫は、他の収納庫と組み合わせて側方に並べて設置し、室内を仕切るように使用することが好ましい。図９に示すように、前後反転させて横に並べて設置することにより、一方の収納庫本体１から天板２を展開してテーブル態様にする際に、隣接する他の収納庫本体１の背面の回動扉２９を開いて、収納空間２０に収容していた椅子を取り出して、天板２の前に並べることができる。これらは、収納庫の同一面側で完結するので、隣りの区画室に回って椅子を出し入れする必要がない。また、収納庫背面の回動扉２９も前側の回動扉５と閉塞板６と外観上同じ位置で、上下に分割してあり、図９に示すように、前後反転させて二つの収納庫を設置した場合も、横目地が一致し、外観上の統一が図れるのである。
【図面の簡単な説明】
【００３３】
【図１】本発明の折畳み式テーブル付き収納庫のテーブル態様における斜視図である。
【図２】同じくテーブル態様の縦断面図である。
【図３】同じくテーブル態様の横断面図である。
【図４】本発明の折畳み式テーブル付き収納庫の格納態様における斜視図である。
【図５】同じく格納態様の縦断面図である。
【図６】同じく格納態様の正面図である。
【図７】天板と脚体の折り畳み途中あるいは展開途中の状態を示す部分断面図である。
【図８】収納庫の底面図である。
【図９】二つの収納庫を前後反転させて側方へ設置した使用状態を示す斜視図である。
【符号の説明】
【００３４】
１  収納庫本体、        ２  天板、
３  脚体、              ４  連動杆、
５  回動扉、            ６  閉塞板、
７  格納空間、          ８  第１天板、
９  第２天板、          １０  支軸、
１１  蝶着部、          １２  補強杆、
１３  補強杆、          １４  支脚、
１５  連結杆、          １６  枢軸、
１７  キャスター、      １８  側板、
１９  仕切板、          ２０  収納空間、
２１  底面板、          ２２  軸受部材、
２３  ガイド部材、      ２４  スライド部材、
２５  ステー、          ２６  下端部、
２７  ダンパー、        ２８  切欠部、
２９  回動扉、          ３０  マグネットキャッチ、
３１  ダボ、            ３２  閂部材、
３３  受け部材、        ３４  昇降ユニット。
【図１】
2010099356.tif 000003
【図２】
2010099356.tif 000004
【図３】
2010099356.tif 000005
【図４】
2010099356.tif 000006
【図５】
2010099356.tif 000007
【図６】
2010099356.tif 000008
【図７】
2010099356.tif 000009
【図８】
2010099356.tif 000010
【図９】
2010099356.tif 000011